(57)【要約】      （修正有）【課題】膨張時にバルーンが短縮することができる調節可能な内部部材を有するバルーンを提供する。【解決手段】バルーンカテーテル１０は、シャフト１４，２４を備えている。シャフトは、長手方向に延在するとともに、近位端１５ａと遠位端１５ｂとを有している。バルーンカテーテルは、さらに、シャフトに沿って位置決めされる膨張可能なバルーン１２を備えている。バルーンは、シャフトに連結される少なくとも１つの部分であって、バルーンが膨張されるときにシャフトの近位端に向けて移動するように構成された少なくとも１つの部分を備えている。【選択図】図６
2019193860.tif 000002
【特許請求の範囲】
【請求項１】
バルーンカテーテルであって、
長手方向に延在するとともに、近位端と遠位端とを有するシャフトと、
前記シャフトに沿って位置決めされる膨張可能なバルーンと、
前記シャフトを前記バルーンに連結する移動手段と
を備え、
前記バルーンは、前記移動手段を介して前記シャフトの前記遠位端または前記近位端に連結される少なくとも１つの部分であって、前記バルーンが膨張されるときに前記シャフトの前記近位端または前記遠位端に向けて移動するように構成された少なくとも１つの部分を有し、
前記移動手段は、前記バルーンに取り付けられる第１の部分と、前記シャフトに取り付けられる第２の部分と、を有する嵌め込み部材を備え、
前記シャフトの前記遠位端が直接的に、または、前記移動手段を介して、前記バルーンに接続された状態に留まり、前記嵌め込み部材の前記第１の部分および前記第２の部分が、膨張流体が前記バルーン内に収容されるようにシール係合した状態に留まった状態で、前記嵌め込み部材は、前記第１の部分と前記第２の部分とが互いに対して入れ子式に移動されるように構成された
バルーンカテーテル。
【請求項２】
請求項１に記載のカテーテルであって、
前記移動手段は、
前記バルーンの収縮状態に対応する、前記シャフトの前記遠位端側の第１の位置と、
前記バルーンの膨張状態に対応する、前記シャフトの前記近位端側の第２の位置と
を備える
カテーテル。
【請求項３】
請求項１に記載のカテーテルであって、
前記第１の部分および前記第２の部分のうちの一方は、突出部を備え、
他方は、前記突出部を受け入れるための凹部を備える
カテーテル。
【請求項４】
請求項１ないし請求項３のいずれか一項に記載のカテーテルであって、
前記移動手段は、さらに、ばねを備え、
前記ばねは、前記バルーンが膨張されるときに前記シャフトを短くするように構成された
カテーテル。
【請求項５】
請求項１ないし請求項４のいずれか一項に記載のカテーテルであって、
前記移動手段は、前記バルーンの前記少なくとも１つの部分の相対位置を手動操作によって調節するためのねじ部を備える
カテーテル。
【請求項６】
請求項１ないし請求項５のいずれか一項に記載のカテーテルであって、
前記シャフトに連結される前記バルーンの前記部分は、前記バルーンの遠位端部分である
カテーテル。
【請求項７】
請求項１ないし請求項６のいずれか一項に記載のカテーテルであって、
前記バルーンの近位端部分は、前記バルーンが膨張されるときに前記シャフトの前記遠位端に向けて移動するように構成される
カテーテル。
【請求項８】
請求項１ないし請求項７のいずれか一項に記載のカテーテルであって、
さらに、前記シャフトに連結されるハブを備え、
前記ハブは、長手方向における前記ハブと前記シャフトとの相対移動を許容するように前記シャフトに連結される
カテーテル。
【請求項９】
請求項８に記載のカテーテルであって、
前記ハブは、ばねによって前記シャフトに連結される
カテーテル。
【請求項１０】
請求項９に記載のカテーテルであって、
前記ハブは、ねじ係合によって前記シャフトに連結される
カテーテル。
【請求項１１】
請求項１ないし請求項１０のいずれか一項に記載のカテーテルであって、
前記第１の部分と前記第２の部分とは、前記バルーンの膨張時に互いに対して近づく
カテーテル。
【請求項１２】
請求項１ないし請求項１１のいずれか一項に記載のカテーテルであって、
前記シャフトは、少なくとも１つの圧縮ばねを備える
カテーテル。
【発明の詳細な説明】
【技術分野】
【０００１】
本願は、米国仮特許出願第６１／７４７，４４８号の利益を主張し、この出願の開示は、参照によって本明細書に組み入れられる。
【０００２】
本開示は、概して、血管形成術などの医療処置を行うためのバルーンに関し、より詳細には、調節可能な内部部材を有するバルーンカテーテルに関する。
【背景技術】
【０００３】
バルーンは、通常、身体の管状領域（例えば、動脈、静脈）の流通制限、あるいは、おそらくは完全な閉塞さえも解消または解決するために使用されている。多くの臨床場面では、制限は、硬質の固体（例えば、石灰化プラーク）によって生じ、そのような閉塞を圧縮するために高圧を使用することが必要になる。市販されているバルーンは、複雑な技術を使用して、バルーンのプロファイルを犠牲にすることなく高圧条件を達成している。高圧条件に加えて、バルーンは、特に、血管形成術に使用される場合には、耐穿刺性を有し、進行や押すことが行いやすく、低プロファイルを提供するべきである。
【０００４】
臨床行為では、血管形成カテーテルは、図１および図２に示すように、対象領域（例えば、血管Ｖの内周壁Ｉの一部分）を治療するために、血管内において収縮した折り畳み状態から拡張状態に拡張される。膨張は、従来、図３および図４に示すように、インターベンション処置中に、Ｘ線または他の形態の放射線写真でのより良い視認性を提供するために、Ｘ線造影剤を使用して達成されている（放射線Ｒが衝突される、バルーン１２の壁部２８内の幅ＤＸを有する造影剤ＣＭに注目されたい）。典型的には、造影剤と生理食塩水との７０％／３０％の混合物が使用されて、血管形成処置中にバルーンが膨張される。
【０００５】
血管形成処置を行う外科医は、膨張していないバルーンの位置を正確に特定しなければならない。その結果、バルーンは、膨張すると適切に位置決めされる。これは、従来、バルーン作用面に対応する領域においてカテーテルシャフト上にマーカーバンドを取り付けることによって達成されている。この「作用面」は、バルーンの、所望の治療効果（例えば、石灰化プラークに接触すること）を達成するために使用される部分に沿った表面である（この表面は、近位端および遠位端のところに円錐状またはテーパ状の部分を有するバルーンの場合、典型的には、略円筒状の胴部とともに拡張する）。
【０００６】
シャフトに沿って配置する間におけるマーカーバンドの位置ズレは、場合によっては、図５に示すように、作用面の範囲に正確に一致させることへの失敗を招く（シャフトＳによって支持される内側マーカーバンドＭの各々と、バルーン１２の作用面Ｗと、の位置ズレ量に注目されたい。これは、典型的には、遠位端のところにＸ線不透過性先端Ｐも備えている）。下にあるシャフトにマーカーを、バルーンが膨張されるときの作用面の予測される境界と整合させて適正に位置決めするために大きな注意が払われる場合ですら、いくつかの起こりえる要因に起因して、不一致が生じる傾向が依然として存在する。そのような要因の１つは、カテーテルシャフトの遠位端にバルーンを追加した結果として生じる公差の蓄積である場合がある。また、バルーンは、膨張されたときに長手方向に伸びる傾向を有しており、このことは、特に、大きく特別に長いバルーンにおいて顕著である。他の要因は、膨張中にバルーン内でカテーテルシャフトの一部分が曲がるか撓む傾向にあることである。このことは、シャフトに固定されたＸ線不透過性マーカーと、作用面と、の間の位置ズレにつながり得る。
【０００７】
要因が何であれ、結果として生じる位置ズレは、インターベンション処置中に臨床医がバルーンの作用面の位置を正確に特定することの妨げとなり得る。これは、地理的な誤配置、すなわち、対象領域Ｔと、バルーン１２の作用面Ｗと、の意図される接触（図２参照）の「ミス」につながり得る。バルーンがペイロード（例えば、薬剤、ステント、または、その両方）または作用要素を血管系内の特定の位置に移送するように構成されている場合には、そのような結果を回避することが特に好ましい。それは、（例えば、薬剤コーティングされたバルーンの場合、バルーン１２の再配置または他のバルーンカテーテルの使用が必要になることによって）ミスによって処置の時間が長くなり得るからである。
【０００８】
バルーンの膨張中および収縮中において、いくつかの結果を回避することが望ましい。膨張時において、造影剤を介してバルーンに圧力を加えることによって、差のある態様でバルーンが長くなり、その結果、曲がったバナナ状の形状になる。この湾曲は、バルーンの作用面が基準点（例えば、下にあるカテーテルシャフトに設けられたＸ線不透過性マーキング）または対象の治療領域に対して位置ズレすることにつながる。これは、地理的な誤配置、すなわち、対象領域と、バルーンの作用面と、との意図する接触の「ミス」につながり得る。バルーンがペイロード（例えば、薬剤、ステント、または、その両方）または作用要素を血管系内の特定の位置に移送するように構成されている場合には、そのような結果を回避することが特に望ましい。それは、（例えば、薬剤コーティングされたバルーンの場合、バルーン１２の再配置または他のバルーンカテーテルの使用が必要になることによって）ミスによって処置の時間が長くなり得るからである。
【０００９】
また、収縮時において、バルーンは、「パンケーキング」として知られる現象を被る場合がある。この条件では、バルーン１２は、自身の上に折り畳まれて平坦な状態になる。この状況によって、バルーンがおそらくは未だ膨張状態にあるように蛍光透視法によって見られる。それは、バルーンの全幅がまだ把握され得るからである。このことによって、臨床医は、バルーンが膨張状態に留まっているとの誤った把握を、実際はそうでないときにし得る。
【発明の概要】
【発明が解決しようとする課題】
【００１０】
したがって、膨張時の過剰な湾曲、収縮時のパンケーキング、その他に関連する上述の問題を回避する助けとなるバルーンカテーテルが必要とされる。
【００１１】
本開示の目的は、膨張時にバルーンが短縮することができる調節可能な内部部材を有するバルーンを提供することである。
【００１２】
一態様では、バルーンカテーテルは、長手方向に延在するとともに近位端と遠位端とを有するシャフトと、シャフトに沿って位置決めされる膨張可能なバルーンと、を備えている。バルーンは、シャフトに連結される少なくとも１つの部分であって、バルーンが膨張されたときにシャフトの近位端に向けて移動するように構成された少なくとも１つの部分を有している。
【００１３】
一実施形態では、アクチュエータが、シャフトをバルーンに連結する。アクチュエータは、バルーンの収縮状態に対応する、シャフトの遠位端側の第１の位置と、バルーンの膨張状態に対応する、シャフトの近位端側の第２の位置と、を備えていてもよい。アクチュエータは、バルーンに取り付けられる第１の部分と、シャフトに取り付けられる第２の部分と、を有する嵌め込み部材を備えていてもよい。第１および第２の部分の一方は、突出部を備えていてもよく、他の部分は、突出部分を受け入れるための凹部を備えていてもよい。
【００１４】
アクチュエータは、さらに、ばねを備えていてもよい。ばねは、好ましくは、バルーンが膨張されるときに短くなるように構成される。アクチュエータは、バルーンの上記少なくとも１つの部分の相対位置を手動操作で調節するためのねじ部を備えていてもよい。
【００１５】
バルーンのシャフトに連結される部分は、バルーンの遠位端部分であってもよい。バルーンの近位端部分は、バルーンが膨張されるときにシャフトの遠位端に向けて移動するように構成されてもよい。
【００１６】
任意の実施形態において、カテーテルは、シャフトに連結されるハブを備えていてもよい。このハブは、長手方向におけるハブとシャフトとの相対移動を許容する態様でシャフトに連結される。ハブは、ばねによってシャフトに連結されてもよい。ハブは、ねじ係合によってシャフトに連結されてもよい。
【００１７】
シャフトは、バルーンの膨張時において長手方向に収縮し短くなってもよい。シャフトは、少なくとも１つの圧縮ばねを備えていてもよい。
【００１８】
他の態様は、バルーンの膨張時において長手方向に収縮するシャフトを備えるバルーンカテーテルである。
【００１９】
さらに別の態様は、嵌め込みデバイスに連結される医療バルーンである。このバルーンの一端は、シャフトに連結されてもよく、他端は、嵌め込みデバイスの第２の部分を受け入れるために、嵌め込みデバイスの第１の部分に連結されてもよい。
【００２０】
本開示のさらなる態様は、膨張可能なバルーンの一端に連結されるように構成された嵌め込みデバイスを備えるカテーテルシャフトに関する。この一端は、バルーンの遠位端または近位端を備えていてもよい。このデバイスは、ばねを備えていてもよく、ばねは、好ましくは、バルーンが膨張されるときにシャフトを短くするように構成される。デバイスは、第１の部分と、第１の部分内に嵌め込むように構成された第２の部分と、の間でのねじ連結部を備えていてもよい。
【００２１】
ハブがシャフトに連結されてもよい。このハブは、長手方向におけるバブとシャフトとの相対移動を許容する態様でシャフトに連結される。ハブは、ばねによってシャフトに連結されてもよく、ばねは、好ましくは、バルーンが膨張されるときにシャフトを短くするように構成される。ハブは、ねじ係合によってシャフトに連結されてもよい。
【００２２】
この構成は、シャフトによって支持される膨張可能なバルーンを備えていてもよい。この構成は、さらに、シャフトの第１の部分をシャフトの第２の部分に連結するための圧縮ばねを備えていてもよい。
【００２３】
関連する態様は、医療処置を行うための装置に関する。この装置は、長手方向に延在するとともに近位端と遠位端とを有するシャフトであって、膨張可能なバルーンを支持するシャフトと、ばねによって、または、ねじ連結部によってシャフトに連結されるハブと、を備えている。
【００２４】
さらに別の態様は、バルーンカテーテルに関する。このバルーンカテーテルは、膨張可能なバルーンと、長手方向に延在するとともに近位端と遠位端とを有するシャフトと、を備えている。シャフトは、第１の部分と、バルーンが膨張されるときにバルーンの一部分を近位端に向けて移動させるために収縮するように構成された第２の部分と、を備えている。第１の部分は、圧縮ばねによって第２の部分に連結されてもよい。第１の部分は、ねじ係合によって第２の部分に連結されてもよい。第１の部分は、第２の部分内に嵌め込むように構成されてもよい。
【００２５】
さらに、バルーンが取り付けられるシャフトを備えるカテーテルを使用する方法が開示される。この方法は、バルーンの膨張時にシャフトを収縮させる工程を備えている。この収縮工程は、シャフトの第１の部分と第２の部分とを嵌め込む工程を備えていてもよい。収縮工程は、自動的に、または、手動操作によって達成されてもよい。
【図面の簡単な説明】
【００２６】
【図１】収縮した折り畳み状態から血管内で拡張した状態への血管形成バルーンの移行を示している。
【図２】収縮した折り畳み状態から血管内で拡張した状態への血管形成バルーンの移行を示している。
【図３】血管形成処置中の血管形成バルーンの視認性を示している。
【図４】血管形成処置中の血管形成バルーンの視認性を示している。
【図５】バルーンの膨張中における血管内のバルーンの位置ズレを示している。
【図６】本開示の一実施形態による血管形成バルーンを示している。
【図７】本開示の一実施形態による血管形成バルーンを示している。
【図８】本開示の一実施形態による血管形成バルーンを示している。
【図９】本開示の一実施形態による血管形成バルーンを示している。
【図１０】本開示の特定の実施形態による血管形成バルーンを示している。
【図１０ａ】本開示の特定の実施形態による血管形成バルーンを示している。
【図１１】本開示の特定の実施形態による血管形成バルーンを示している。
【図１２】図１０、図１０ａおよび図１１のバルーンを使用する方法を示している。
【図１３】図１０、図１０ａおよび図１１のバルーンを使用する方法を示している。
【図１４】本開示のさらなる実施形態を示している。
【図１５】本開示のさらなる実施形態を示している。
【図１６】本開示のさらに別の実施形態を示している。
【図１７】本開示のさらに別の実施形態を示している。
【発明を実施するための形態】
【００２７】
図面に関連して以下で行われる説明は、特に明記しない限り、全ての実施形態に適用され、各実施形態に共通した特徴は、同様に示され、同様の参照番号が付される。
【００２８】
カテーテル１０が設けられる。このカテーテル１０は、遠位部分１１を有している。遠位部分１１は、カテーテルチューブ１４に取り付けられたバルーン１２を有している。図６、図７および図８を参照すると、バルーン１２は、中間部分１６すなわち「胴部」と、端部部分１８，２０と、を有している。一実施形態では、端部部分１８，２０は、縮径して、中間部分１６をカテーテルチューブ１４に接合している（したがって、部分１８，２０は、一般的に、コーンまたはコーン部分と称される）。バルーン１２は、バルーン端部（近位端１５ａおよび遠位端１５ｂ）のところでコーン部分１８，２０上にシールされ、１つ以上の膨張内腔１７を介したバルーン１２の膨張を可能にしている。膨張内腔１７は、カテーテルチューブ１４内を延在し、バルーン１２の内部と連通している。
【００２９】
また、カテーテルチューブ１４は、ガイドワイヤ内腔２３を形成する細長いチューブ状のシャフト２４を備えている。ガイドワイヤ内腔２３は、カテーテル１０を通るガイドワイヤ２６を方向付ける。ガイドワイヤ内腔２３の遠位端に沿ってバルーン１２が配置され得る。図８に示されるように、このガイドワイヤ２６は、カテーテル１０の近位端と、コネクタ２７の第１のポート２５と、を通って内腔２３内に延在して、「オーバーザワイヤ」（ＯＴＷ）構成を達成することができる。しかしながら、ガイドワイヤ２６は、「ラピッドエクスチェンジ」（ＲＸ）構成で提供されてもよい。ラピッドエクスチェンジ構成では、ガイドワイヤ２６は、遠位端側の横方向開口１４ａを出る（図９参照）か、あるいは、バルーン１２の遠位側の先端を通って供給される（図示せず）。第２のポート２９が、膨張内腔１７を介してバルーン１２の内部区画に流体（例えば、生理食塩水、造影剤、または、その両方）を導入するために、例えばコネクタ２７によって、カテーテル１０にも関連付けられてもよい。
【００３０】
バルーン１２は、膨張流体を受け入れるための内部を形成する単層または複層のバルーン壁２８を備えていてもよい。バルーン１２は、バルーンが膨張されるときに１つ以上の方向においてそのサイズおよび形状が維持されるバルーン壁２８を有するノンコンプライアントバルーンであってもよい。そのような場合には、バルーン１２は、膨張中および膨張後に一定に維持される予め定められた表面積も有しており、また、膨張中および膨張後に各々にまたは一緒に一定に維持される予め定められた長さおよび予め定められた直径を有している。しかしながら、バルーン１２は、それに代えて、特定の用途に応じて、セミ
コンプライアントまたはコンプライアントであってもよい。
【００３１】
本開示の一態様によれば、カテーテル１０は、膨張中にバルーン１２が短縮することができる助けとなるように構成されてもよい。これは、バルーン１２の一部分をシャフト２４（この一部分は、バルーン内の内部部材２４ａを形成する）に取り付けることによって達成されてもよい。バルーン１２の一部分は、バルーンが膨張されるときにバルーンのこの部分が遠位端１５ｂ側から近位端１５ａ側に移動することができる態様で取り付けられる。一実施形態では、図１０および図１１に示されるように、アクチュエータ３０は、その遠位端部分でシャフト２４に連結される第１の部分３０ａと、第１の部分３０ａを受け入れる（例えば、嵌め込み（入れ子式）の態様）ように構成された第２の部分３０ｂと、を備えている。この２つの部分３０ａ，３０ｂは、膨張流体をバルーン１２内に収容するように、互いにシール係合される。
【００３２】
使用時において、図１０および図１１を参照すると、バルーン１２は、最初、折り畳まれた収縮状態（１２’）にあり、端部１５ｂに対応する遠位部分は（例えば、嵌め込み部分３０ａ，３０ｂが少なくとも部分的に分離することによって）遠位方向に延在する。膨張時において、バルーン１２は、拡張し、したがって、部分３０ａ，３０ｂを引き寄せるか押圧して一緒に入れ子式になり、したがって、コンパクトになる。このシャフト２４が相対的に縮小すなわち短くなることによって、バルーン１２がシャフトに動かないように固定された場合に存在する、結果として得られる圧力下でシャフト２４が撓むことが防止され、したがって、生じ得る、望ましくない撓んだ状態や対応する位置ズレが防止される。
【００３３】
また、部分３０ａ，３０ｂは、長手方向の移動を制限することに加えて他の方向における移動を制限する態様で一緒に連結され得る。これは、図１０ａに参照符号３０ｃによって示されるように、一方に突出部（例えば、長手方向のレール）を設けるとともに他方に対応する凹部（例えば、長手方向の一致する溝）を設けることによって達成されてもよい。１つ以上のそのような一致構成が設けられてもよい。また、この構成は、許容される相対移動の量を画定するためのストッパを備えていてもよい。
【００３４】
図１２および図１３は、バルーン１２の近位端１５ａのところにアクチュエータ３０も設けられてもよいことを示している。当業者にはこれらの図から推測できるように、アクチュエータは、図１０、図１０ａおよび図１１に示されるものと同一である。図１２において、バルーン１２は、非膨張状態（１２’）にあり、したがって、部分３０ａ，３０ｂは拡張される。膨張されるとき、部分３０ａ，３０ｂは、入れ子になり、シャフト２４の所望の短縮が提供される。この実施形態において、シャフト２４は、「デュアル内腔」アプローチとして示されており、膨張内腔１７およびガイドワイヤ内腔２３（バルーン１２の内部においてシャフト２４の膨張開口Ｏと連通する）は仕切りによって分離される。
【００３５】
図１４に戻ると、膨張条件に応じて部分３０ａ，３０ｂの一方または他方を近位方向または遠位方向に押圧するために、付勢要素すなわちばね３２の形態のアクチュエータ３０も設けられ得る。図１４から明らかなように、付勢要素３２は、バルーン１２が膨張されるときにシャフト２４を短くするように構成される。部分３０ａ，３０ｂの代わりに、１つ以上のばね３２も、図１５に示されるように、シャフト２４の他の部分に沿って独立した態様で設けられ得る。両方の場合において、ばね３２は、圧縮ばねを備えていてもよい。圧縮ばねは、通常、伸張されており、したがって、自動的な態様での膨張の結果として、または、以下で説明するように手動操作による調節の結果として、シャフト２４を圧縮して短くする。一緒に図示されているものの、これらの構成の一方のみが使用され得ること、または、各々が複数回使用され得ることが理解されるべきである。
【００３６】
また、部分３０ａ，３０ｂは、ねじ連結部３４などの手段を使用して互いに係合してもよい（図１５）。これによって、相対移動に対して手動操作による調節が可能になる。これは、（例えば、カテーテル１０の近位端でコネクタ２７すなわちハブのところで把持することによって）回転されることができる内側シャフト２４を設けることによって達成され得る。このように、膨張中に内側シャフト２４を回転させることによって、シャフト２４は、手動操作によって短縮され得る。また、ねじ連結部３４は、図１６に示されるように、コネクタ２７すなわちハブと、シャフト２４の近位部分と、の間に設けられてもよく、これは、図１７に示されるように、ばね３２についても同様である（この配置では、ばね３２は、引っ張りばね、または、圧縮ばねであってもよい）。図１７から当業者には明らかなように、ハブ２７は、好ましくは、コネクタによって、バルーンが膨張され得るようにバルーンの近位端に連結される。また、連結部は、２つの構造を連結するレールによって形成されてもよく、場合によっては、（例えば、パッドを設けることによって）摩擦を生じさせて、相対移動の制御が可能となる。これらのアプローチのうちの任意のアプローチと図１２〜１７に示されるアプローチとの組み合わせも利用可能である。
【００３７】
本開示によって、発明の概念を説明するためにいくかの実施形態が提示されたが、添付の特許請求の範囲に定義されるように、本発明の領域および範囲から逸脱することなく、説明された実施形態に対して多くの修正形態、変形形態および変更が可能である。例えば、様々な実施形態で提示される範囲および数値は、公差、環境要因の変化、材料の品質、構造の修正、および、バルーンの形状に起因して変わるので、およそのものであると捉えることができ、「約」または「実質的に」との用語は、そのような要因のために、関連する値が最小限変わり得ることを意味している。したがって、本開示が、説明された実施形態に限定されるものではなく、次の特許請求の範囲の言語によって定義される最大の範囲およびその均等物を有していることが意図されている。本発明は、以下の形態でも実現可能である。
［形態１］
バルーンカテーテルであって、
長手方向に延在するとともに、近位端と遠位端とを有するシャフトと、
前記シャフトに沿って位置決めされる膨張可能なバルーンと
を備え、
前記バルーンは、前記シャフトに連結される少なくとも１つの部分であって、前記バルーンが膨張されるときに前記シャフトの前記近位端に向けて移動するように構成された少なくとも１つの部分を有する
バルーンカテーテル。
［形態２］
形態１に記載のカテーテルであって、
アクチュエータが前記シャフトを前記バルーンに連結する
カテーテル。
［形態３］
形態２に記載のカテーテルであって、
前記アクチュエータは、
前記バルーンの収縮状態に対応する、前記シャフトの前記遠位端側の第１の位置と、
前記バルーンの膨張状態に対応する、前記シャフトの前記近位端側の第２の位置と
を備える
カテーテル。
［形態４］
形態２または形態３に記載のカテーテルであって、
前記アクチュエータは、前記バルーンに取り付けられる第１の部分と、前記シャフトに取り付けられる第２の部分と、を有する嵌め込み部材を備える
カテーテル。
［形態５］
形態４に記載のカテーテルであって、
前記第１の部分および前記第２の部分のうちの一方は、突出部を備え、
他方は、前記突出部を受け入れるための凹部を備える
カテーテル。
［形態６］
形態１ないし形態５のいずれか一項に記載のカテーテルであって、
前記アクチュエータは、さらに、ばねを備え、
前記ばねは、好ましくは、前記バルーンが膨張されるときに前記シャフトを短くするように構成された
カテーテル。
［形態７］
形態１ないし形態６のいずれか一項に記載のカテーテルであって、
前記アクチュエータは、前記バルーンの前記少なくとも１つの部分の相対位置を手動操作によって調節するためのねじ部を備える
カテーテル。
［形態８］
形態１ないし形態７のいずれか一項に記載のカテーテルであって、
前記シャフトに連結される前記バルーンの前記部分は、前記バルーンの遠位端部分である
カテーテル。
［形態９］
形態１ないし形態８のいずれか一項に記載のカテーテルであって、
前記バルーンの近位端部分は、前記バルーンが膨張されるときに前記シャフトの前記遠位端に向けて移動するように構成される
カテーテル。
［形態１０］
形態１ないし形態９のいずれか一項に記載のカテーテルであって、
さらに、前記シャフトに連結されるハブを備え、
前記ハブは、長手方向における前記ハブと前記シャフトとの相対移動を許容するように前記シャフトに連結される
カテーテル。
［形態１１］
形態１０に記載のカテーテルであって、
前記ハブは、ばねによって前記シャフトに連結される
カテーテル。
［形態１２］
形態１１に記載のカテーテルであって、
前記ハブは、ねじ係合によって前記シャフトに連結される
カテーテル。
［形態１３］
形態１ないし形態１２のいずれか一項に記載のカテーテルであって、
前記シャフトは、前記バルーンの膨張時に長手方向に縮小し短くなる
カテーテル。
［形態１４］
形態１ないし形態１３のいずれか一項に記載のカテーテルであって、
前記シャフトは、少なくとも１つの圧縮ばねを備える
カテーテル。
［形態１５］
バルーンカテーテルであって、
バルーンの膨張時に長手方向に縮小するシャフトを備える
バルーンカテーテル。
［形態１６］
医療バルーンであって、
嵌め込みデバイスに連結される
医療バルーン。
［形態１７］
形態１６に記載の医療バルーンであって、
前記バルーンの一端は、シャフトに連結され、
他端は、前記嵌め込みデバイスの第２の部分を受け入れるために、前記嵌め込みデバイスの第１の部分に連結される
医療バルーン。
［形態１８］
カテーテルシャフトであって、
膨張可能なバルーンの一端に連結されるように構成された嵌め込みデバイスを備える
カテーテルシャフト。
［形態１９］
形態１８に記載のカテーテルであって、
前記一端は、前記バルーンの遠位端を備える
カテーテル。
［形態２０］
形態１８に記載のカテーテルであって、
前記一端は、前記バルーンの近位端を備える
カテーテル。
［形態２１］
形態１８ないし形態２０のいずれか一項に記載のシャフトであって、
前記デバイスは、ばねを備え、
前記ばねは、好ましくは、前記バルーンが膨張されるときに前記シャフトを短くするように構成された
シャフト。
［形態２２］
形態１８ないし形態２１のいずれか一項に記載のシャフトであって、
前記デバイスは、第１の部分と、該第１の部分内に嵌まるように構成された第２の部分と、の間のねじ連結部を備える
シャフト。
［形態２３］
形態１８ないし形態２２のいずれか一項に記載のシャフトであって、
さらに、前記シャフトに連結されるハブを備え、
前記ハブは、長手方向における前記ハブと前記シャフトとの相対移動を許容するように前記シャフトに連結される
シャフト。
［形態２４］
形態２３に記載のシャフトであって、
前記ハブは、ばねによって前記シャフトに連結され、
前記ばねは、好ましくは、前記バルーンが膨張されるときに前記シャフトを短くするように構成された
シャフト。
［形態２５］
形態２３に記載のシャフトであって、
前記ハブは、ねじ係合によって前記シャフトに連結される
シャフト。
［形態２６］
形態１８ないし形態２５のいずれか一項に記載のシャフトであって、
さらに、前記シャフトによって支持される膨張可能なバルーンを備える
シャフト。
［形態２７］
形態１８ないし形態２６のいずれか一項に記載のシャフトであって、
さらに、前記シャフトの第１の部分を前記シャフトの第２の部分に連結するための圧縮ばねを備える
シャフト。
［形態２８］
医療処置を行うための装置であって、
長手方向に延在するとともに、近位端と遠位端とを有するシャフトであって、膨張可能なバルーンを支持するシャフトと、
ばねによって、または、ねじ結合部によって前記シャフトに連結されるハブと
を備える装置。
［形態２９］
バルーンカテーテルであって、
膨張可能なバルーンと、
長手方向に延在するとともに、近位端と遠位端とを有するシャフトと
を備え、
前記シャフトは、第１の部分と、前記バルーンが膨張されるときに前記近位端に向けて前記バルーンの一部分を移動させるために前記シャフトを縮小するように構成された第２の部分と、を備える
バルーンカテーテル。
［形態３０］
形態２９に記載のカテーテルであって、
前記第１の部分は、圧縮ばねによって前記第２の部分に連結される
カテーテル。
［形態３１］
形態２９に記載のカテーテルであって、
前記第１の部分は、ねじ係合によって前記第２の部分に連結される
カテーテル。
［形態３２］
形態２９に記載のカテーテルであって、
前記第１の部分は、前記第２の部分内に嵌まるように構成された
カテーテル。
［形態３３］
膨張可能なバルーンが取り付けられるシャフトを備えるカテーテルの使用方法であって、
前記バルーンの膨張時に前記シャフトを縮小させる工程を備える
カテーテルの使用方法。
［形態３４］
形態３３に記載の方法であって、
前記縮小工程は、前記シャフトの第１の部分と第２の部分とを嵌め込む工程を備える
方法。
［形態３５］
形態３３に記載の方法であって、
前記縮小工程は、手動操作によって達成される
方法。
［形態３６］
カテーテルであって、
形態１８ないし形態２７のいずれか一項に記載のシャフトを備える
カテーテル。
【符号の説明】
【００３８】
１０…カテーテル
１１…遠位部分
１２…バルーン
１４…カテーテルチューブ
１４ａ…横方向開口
１５ａ…近位端
１５ｂ…遠位端
１６…中間部分
１７…膨張内腔
１８，２０…端部部分
２３…ガイドワイヤ内腔
２４…シャフト
２４ａ…内部部材
２５…第１のポート
２６…ガイドワイヤ
２７…ハブ
２８…バルーン壁
２９…第２のポート
３０…アクチュエータ
３０ａ…第１の部分
３０ｂ…第２の部分
３２…ばね
３４…連結部
Ｏ…膨張開口
【図１】
2019193860.tif 000003
【図２】
2019193860.tif 000004
【図３】
2019193860.tif 000005
【図４】
2019193860.tif 000006
【図５】
2019193860.tif 000007
【図６】
2019193860.tif 000008
【図７】
2019193860.tif 000009
【図８】
2019193860.tif 000010
【図９】
2019193860.tif 000011
【図１０】
2019193860.tif 000012
【図１０ａ】
2019193860.tif 000013
【図１１】
2019193860.tif 000014
【図１２】
2019193860.tif 000015
【図１３】
2019193860.tif 000016
【図１４】
2019193860.tif 000017
【図１５】
2019193860.tif 000018
【図１６】
2019193860.tif 000019
【図１７】
2019193860.tif 000020
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
バルーンカテーテルであって、
長手方向に延在するとともに、近位端と遠位端とを有するシャフトと、
前記シャフトに沿って位置決めされる膨張可能なバルーンと
を備え、
前記バルーンは、前記シャフトに連結される少なくとも１つの部分であって、前記バルーンが膨張されるときに前記シャフトの前記近位端に向けて移動するように構成された少なくとも１つの部分を有し、
前記シャフトは、少なくとも１つの圧縮ばねを備える
バルーンカテーテル。
【請求項２】
請求項１に記載のカテーテルであって、
アクチュエータが前記シャフトを前記バルーンに連結する
カテーテル。
【請求項３】
請求項２に記載のカテーテルであって、
前記アクチュエータは、
前記バルーンの収縮状態に対応する、前記シャフトの前記遠位端側の第１の位置と、
前記バルーンの膨張状態に対応する、前記シャフトの前記近位端側の第２の位置と
を備える
カテーテル。
【請求項４】
請求項２または請求項３に記載のカテーテルであって、
前記アクチュエータは、前記バルーンに取り付けられる第１の部分と、前記シャフトに取り付けられる第２の部分と、を有する嵌め込み部材を備える
カテーテル。
【請求項５】
請求項４に記載のカテーテルであって、
前記第１の部分および前記第２の部分のうちの一方は、突出部を備え、
他方は、前記突出部を受け入れるための凹部を備える
カテーテル。
【請求項６】
請求項２ないし請求項５のいずれか一項に記載のカテーテルであって、
前記アクチュエータは、さらに、ばねを備え、
前記ばねは、前記バルーンが膨張されるときに前記シャフトを短くするように構成された
カテーテル。
【請求項７】
請求項２ないし請求項６のいずれか一項に記載のカテーテルであって、
前記アクチュエータは、前記バルーンの前記少なくとも１つの部分の相対位置を手動操作によって調節するためのねじ部を備える
カテーテル。
【請求項８】
請求項１ないし請求項７のいずれか一項に記載のカテーテルであって、
前記シャフトに連結される前記バルーンの前記部分は、前記バルーンの遠位端部分である
カテーテル。
【請求項９】
請求項１ないし請求項８のいずれか一項に記載のカテーテルであって、
前記バルーンの近位端部分は、前記バルーンが膨張されるときに前記シャフトの前記遠位端に向けて移動するように構成される
カテーテル。
【請求項１０】
請求項１ないし請求項９のいずれか一項に記載のカテーテルであって、
さらに、前記シャフトに連結されるハブを備え、
前記ハブは、長手方向における前記ハブと前記シャフトとの相対移動を許容するように前記シャフトに連結される
カテーテル。
【請求項１１】
請求項１０に記載のカテーテルであって、
前記ハブは、ばねによって前記シャフトに連結される
カテーテル。
【請求項１２】
請求項１１に記載のカテーテルであって、
前記ハブは、ねじ係合によって前記シャフトに連結される
カテーテル。
【請求項１３】
請求項１ないし請求項１２のいずれか一項に記載のカテーテルであって、
前記シャフトは、前記バルーンの膨張時に長手方向に縮小し短くなる
カテーテル。
【請求項１４】
カテーテルシャフトであって、
膨張可能なバルーンの一端に連結されるように構成された嵌め込みデバイスを備え、
前記デバイスは、ばねを備える
カテーテルシャフト。
【請求項１５】
請求項１４に記載のカテーテルシャフトであって、
前記一端は、前記バルーンの遠位端を備える
カテーテルシャフト。
【請求項１６】
請求項１４に記載のカテーテルシャフトであって、
前記一端は、前記バルーンの近位端を備える
カテーテルシャフト。
【請求項１７】
請求項１４ないし請求項１６のいずれか一項に記載のシャフトであって、
前記ばねは、前記バルーンが膨張されるときに前記シャフトを短くするように構成された
シャフト。
【請求項１８】
請求項１４ないし請求項１７のいずれか一項に記載のシャフトであって、
前記デバイスは、第１の部分と、該第１の部分内に嵌まるように構成された第２の部分と、の間のねじ連結部を備える
シャフト。
【請求項１９】
請求項１４ないし請求項１８のいずれか一項に記載のシャフトであって、
さらに、前記シャフトに連結されるハブを備え、
前記ハブは、長手方向における前記ハブと前記シャフトとの相対移動を許容するように前記シャフトに連結される
シャフト。
【請求項２０】
請求項１９に記載のシャフトであって、
前記ハブは、ばねによって前記シャフトに連結され、
前記ばねは、前記バルーンが膨張されるときに前記シャフトを短くするように構成された
シャフト。
【請求項２１】
請求項１９に記載のシャフトであって、
前記ハブは、ねじ係合によって前記シャフトに連結される
シャフト。
【請求項２２】
請求項１４ないし請求項２１のいずれか一項に記載のシャフトであって、
さらに、前記シャフトによって支持される膨張可能なバルーンを備える
シャフト。
【請求項２３】
請求項１４ないし請求項２２のいずれか一項に記載のシャフトであって、
さらに、前記シャフトの第１の部分を前記シャフトの第２の部分に連結するための圧縮ばねを備える
シャフト。
【請求項２４】
バルーンカテーテルであって、
膨張可能なバルーンと、
長手方向に延在するとともに、近位端と遠位端とを有するシャフトと
を備え、
前記シャフトは、第１の部分と、前記バルーンが膨張されるときに前記近位端に向けて前記バルーンの一部分を移動させるために前記シャフトを縮小するように構成された第２の部分と、を備え、
前記第１の部分は、圧縮ばねまたはねじ係合によって前記第２の部分に連結される
バルーンカテーテル。